(57)【要約】【課題】  低廉で、ボルト締結作業性が良好で、しかも溶接作業が容易で、溶接の信頼性の高い杭基礎用接合材を提供すること。【解決手段】  杭基礎３１，３２，３３の上端部に置かれ、上部構造物を支持し、ボルトを用いて接合する杭基礎用接合材２１，２２，２３であり、上部構造物を上面で支持し、接合する支持板２１ａ、２２ａ、２３ａと、その支持板２１ａ、２２ａ、２３ａの下面に杭基礎３１，３２，３３の軸直交方向である断面の差し渡し幅寸法と略等しい間隔で対向して垂下させた２枚の垂下板２１ｂ、２２ｂ、２３ｂとを有し、支持板２１ａ、２２ａ、２３ａの垂下板２１ｂ、２２ｂ、２３ｂと杭基礎３１，３２，３３とに干渉しない位置に、上部構造物を接合するボルトを貫通させるボルト穴２１ｃ、２２ｃ、２３ｃが形成されていることを特徴とする杭基礎用接合材２１，２２，２３としている。【選択図】  図２
2006265925.tif 000002
【特許請求の範囲】
【請求項１】
杭基礎の上端部に置かれ、上部構造物を支持し、ボルトを用いて接合する杭基礎用接合材であって、
前記上部構造物を上面で支持し、接合する支持板と、
該支持板の下面に前記杭基礎の軸直交方向である断面の差し渡し幅寸法と略等しい間隔で対向して垂下させた２枚の垂下板とを有し、
前記支持板の前記垂下板と前記杭基礎とに干渉しない位置に、前記上部構造物を接合するボルトを貫通させるボルト穴が形成されていることを特徴とする杭基礎用接合材。
【請求項２】
地盤に打ち込まれた杭基礎の上端部に請求項１記載の杭基礎用接合材を溶接接合する杭基礎用接合材の杭基礎への接合方法において、
前記杭基礎用接合材を、前記両垂下板の内側が前記杭基礎の上端部に接触するように、且つ前記支持板が所期の高さや水平度を有するように調整した後に、前記両垂下板と前記杭基礎とを溶接接合することを特徴とする杭基礎用接合材の杭基礎への接合方法。
【発明の詳細な説明】
【技術分野】
【０００１】
この発明は、建物、例えば建物ユニットの複数個を組み立てたユニット建物を杭基礎上に支持固定する杭基礎用接合材及びその杭基礎への接合方法に関するものである。
【背景技術】
【０００２】
従来、この種の杭基礎用接合材は、建物ユニットを支持する上板と杭基礎上端に支持させる下板との間に垂下板を入れて側方の一部が開放された箱型形状を呈している。この杭基礎用接合材を杭基礎が打たれた後の上端に溶接接合し、その上に建物ユニットを載せて、ボルト、ナットで締結して連結固定している。
【特許文献１】特開平１１−９３２７３号
【発明の開示】
【発明が解決しようとする課題】
【０００３】
しかしながら、この杭基礎用接合材は、使用する板材が多く、溶接部分も多くなるため、工数が掛かるため高価となっていた。また、下板があり、箱型形状となっていたため、狭小な空間でボルト、ナットの締結作業となり、作業性が悪い。
【０００４】
さらに、十分な作業空間を取ろうとすると、部材が一層大きくなり、一層高価となる。十分な高さを取ろうとすると、高さ規制の厳しい地域では、規制に抵触する恐れがある。さらに、地盤に打ち込まれた杭基礎に杭基礎用接合材を溶接しようとすると、地面から高さのないところを上向き溶接をしなければならず、作業性も悪く、溶接の目視確認も困難である。
【０００５】
そこで低廉で、ボルト締結作業性が良好で、しかも溶接作業が容易で、溶接の信頼性の高い杭基礎用接合材を提供することを目的としている。
【課題を解決するための手段】
【０００６】
この目的を達成するため、この発明は、杭基礎の上端部に置かれ、上部構造物を支持し、ボルトを用いて接合する杭基礎用接合材であって、前記上部構造物を上面で支持し、接合する支持板と、該支持板の下面に前記杭基礎の軸直交方向である断面の差し渡し幅寸法と等しい間隔で対向して垂下させた２枚の垂下板とを有し、前記支持板の前記垂下板と前記杭基礎とに干渉しない位置に、前記上部構造物を接合するボルトを貫通させるボルト穴が形成されていることを特徴とする杭基礎用接合材としている。
【発明の効果】
【０００７】
この発明の構成によれば、従来の下板に相当する部材がないため、廉価で、ボルト締結作業性もよく、また、溶接作業性がよく、溶接の信頼性も良い杭基礎用接合材を提供することができる。
【発明を実施するための最良の形態】
【０００８】
以下、この発明の実施の形態を図面に基づいて説明する。
【実施例１】
【０００９】
図１〜図５は、この発明の杭基礎用接合材の一実施例を示すもので、図１はユニット建物が杭基礎用接合材を介して杭基礎に支持固定されることを説明する概略構成図である。
【００１０】
図１に示すように、上部構造物の一例であるユニット建物は、複数個の建物ユニット１
を左右上下に接合して２階建てに構成され、この例では１階が４個の建物ユニット１で構成され、２階が同じく４個の建物ユニット１で構成されている。
【００１１】
この建物ユニット１は、４隅部の鋼製角パイプからなる柱１１の上下端に溝型の鋼製ジョイントピース１２（図２参照）が取り付けられ、このジョイントピース１２間に溝型の鋼製の床梁１３，天井梁１４が溶接により取り付けられ、ラーメン構造に結合された箱形の枠構造体に形成されている。
【００１２】
このユニット建物は、これら建物ユニット１が現場にてボルト、ナットと等で組み付けられ、場所によって、柱１１が１本のａ位置、柱が２本のｂ位置、４本のｃ位置ができる。これらａ〜ｃの位置を支えるために、杭基礎３１，３２，３３が所定位置に打ち込まれており、これらの上に杭基礎用接合材２１，２２，２３が溶接接合され、さらに各建物ユニット１が載せられ組み付けられ、ユニット建物が構成されている。
【００１３】
杭基礎３１，３２，３３は、同じ太さでも構わないが、あまりにも過剰強度であると判断される場合には、支持する柱１１の本数によって、図１に示すように太さを変えても良い。
【００１４】
図２は、２本の柱１１が集まるｂの位置の支持構造を示す要部斜視図である。すなわち、杭基礎３２に溶接固定された杭基礎用接合材２２の上に、隣り合う建物ユニット１の柱１１の２本が束ねられたｂの位置を支持し、ボルト、ナットで固定している。
【００１５】
杭基礎用接合材２２は、図３に杭基礎３２の上に載せられ、溶接接合された状態の一部破断した斜視図で示されている。杭基礎用接合材２２は、上部構造物であるユニット建物あるいは建物ユニット１を上面で支持し、接合する支持板２２ａと、この支持板２２ａの下面に杭基礎３２の軸直交方向である断面の差し渡し幅寸法と等しい間隔で対向して垂下させた２枚の垂下板２２ｂとを有し、これらが溶接接合されている。支持板２２ａの、垂下板２２ｂと杭基礎３２とに干渉しない位置に、上部構造物を接合するボルトを貫通させるボルト穴２２ｃが２個形成されている。
【００１６】
したがって、杭基礎３２の上端部に杭基礎用接合材２２を載せ、杭基礎３２と垂下板２２ｂとの接触部を溶接接合して、図３の状態としている。
【００１７】
図４に示すように、隅の１本の柱１１を支持する位置ａの杭基礎用接合材２１は、杭基礎３１の上に載せられ、溶接接合された状態の一部破断した斜視図で示されている。杭基礎用接合材２１は、上部構造物であるユニット建物あるいは建物ユニット１を上面で支持し、接合する支持板２１ａと、この支持板２１ａの下面に杭基礎３１の軸直交方向である断面の差し渡し幅寸法と等しい間隔で対向して垂下させた２枚の垂下板２１ｂとを有し、これらが溶接接合されている。支持板２１ａの、垂下板２１ｂと杭基礎３１とに干渉しない位置に、上部構造物を接合するボルトを貫通させるボルト穴２１ｃが１個形成されている。
【００１８】
したがって、杭基礎３１の上端部に杭基礎用接合材２１を載せ、杭基礎３１と垂下板２１ｂとの接触部を溶接接合して、図４の状態としている。
【００１９】
また、図５に示すように、４本の柱１１が束ねられた位置ｃを支持する杭基礎用接合材２３は、杭基礎３３の上に載せられ、溶接接合された状態の一部破断した斜視図で示されている。杭基礎用接合材２３は、上部構造物であるユニット建物あるいは建物ユニット１を上面で支持し、接合する支持板２３ａと、この支持板２３ａの下面に杭基礎３３の軸直交方向である断面の差し渡し幅寸法と等しい間隔で対向して垂下させた２枚の垂下板２３
ｂとを有し、これらが溶接接合されている。支持板２３ａの、垂下板２３ｂと杭基礎３３とに干渉しない位置に、上部構造物を接合するボルトを貫通させるボルト穴２３ｃが４個形成されている。
【００２０】
したがって、杭基礎３３の上端部に杭基礎用接合材２３を載せ、杭基礎３３と垂下板２３ｂとの接触部を溶接接合して、図５の状態としている。
【００２１】
なお、杭基礎３１，３２，３３は、円筒型の鋼管で示したが、角型鋼管など多角形鋼管であってもよいことは勿論である。したがって、２枚の垂下板２１ｂ、２２ｂ、２３ｂの間隔を杭基礎３１，３２，３３の軸直交方向である断面の差し渡し幅寸法と等しくしているが、円筒型であれば直径であり、他のものの場合は断面の差し渡し寸法となる。
【００２２】
つぎに、この発明の杭基礎用接合材２１，２２、２３の杭基礎３１，３２，３３への接合方法について説明する。
【００２３】
設計図に基づいて予め決められた所定の位置に所定の高さとなるように基礎杭３１，３２．３３を打ち込む。この地盤に打ち込まれた杭基礎３１，３２，３３の上端部に上述してきた杭基礎用接合材２１，２２，２３を吊り下げ或いはジャッキアップしながら両垂下板２１ｂ、２２ｂ、２３ｂの内側が接触するように差し込み、さらに、支持板２１ａ、２２ａ、２３ａが所期の高さや水平度となり、建物ユニット１の図示省略の接合穴と支持板２１ａ、２２ａ、２３ａのボルト穴２１ｃ、２２ｃ、２３ｃとがほぼ一致するように調整する。その後に、両垂下板２１ｂ、２２ｂ、２３ｂと杭基礎３１，３２，３３との接触部を両垂下板２１ｂ、２２ｂ、２３ｂの両側方と下方とが開放された間から図外の溶接棒などを差し込み、接合部を横からのぞき込みながら溶接接合する。
【００２４】
こうして位置だし出来た杭基礎用接合材２１，２２，２３の上に、建物ユニット１を次々とクレーンで吊り上げ、位置だししながら載せて、ボルト、ナットで締結して１階部分を構築する。このとき隣接する建物ユニット１相互にボル、トナットで締結することは勿論である。そして、１階の部分の上に、建物ユニット１を載せ、同じようにボルト、ナットで締結固定して、２階部分をも構築してユニット建物の骨組みを完成させる。
【００２５】
以上、杭基礎用接合材２１，２２，２３は、使用板材も少なく溶接部位も少なく廉価にすることができる。そして杭基礎３１，３２，３３の頂点には、支持板２１ａ、２２ａ、２３ａのほぼ板厚寸法だけの高さしか必要がないので、建物の高さ規制に余裕が得られ、設計等に自由度ができる。また、杭基礎用接合材２１，２２，２３は、側方及び下方が開放された構造のため、位置決めがし易く、溶接作業性がよく、溶接箇所も目視でき、溶接の信頼性も上がり、さらに建物ユニット１との締結作業性も良好である。
【００２６】
以上、要するに、廉価で、ボルト締結作業性もよく、また、溶接作業性がよく、溶接の信頼性も良い杭基礎用接合材及びその杭基礎への接合方法を提供することができる。
【産業上の利用可能性】
【００２７】
穴を掘ってコンクリートなどを打設して基礎を作ることなく杭を打ち込んで基礎とする杭基礎タイプのものに応用できる。
【図面の簡単な説明】
【００２８】
【図１】本発明の杭基礎用接合材を用いたユニット建物の支持構造を説明する分解斜視図である。
【図２】建物ユニットの柱２本が束ねられる箇所を支持するための杭基礎用接合材用いた支持状態を示す要部斜視図である。
【図３】図２に用いた柱２本用の杭基礎用接合材が杭基礎に溶接接合された状態を示す、一部破断した斜視図である。
【図４】柱１本用の杭基礎用接合材が杭基礎に溶接接合された状態を示す、一部破断した斜視図である。
【図５】柱３本用の杭基礎用接合材が杭基礎に溶接接合された状態を示す、一部破断した斜視図である。
【符号の説明】
【００２９】
１・・・建物ユニット
１１・・・柱
２１，２２，２３・・・杭基礎用接合材
２１ａ、２２ａ、２３ａ・・・支持板
２１ｂ、２２ｂ、２３ｂ・・・垂下板
２１ｃ、２２ｃ、２３ｃ・・・ボルト穴
３１，３２，３３・・・杭基礎
ａ、ｂ、ｃ・・・それぞれ柱１，２，４本の束ねられる位置
【図１】
2006265925.tif 000003
【図２】
2006265925.tif 000004
【図３】
2006265925.tif 000005
【図４】
2006265925.tif 000006
【図５】
2006265925.tif 000007